(57)【要約】【課題】  被看護者が看護者を呼出す押しボタンスイッチの付加機能として、呼気スイッチ、まばたきスイッチ等の特殊呼出装置も同時に使用できる入力端子を備えた、多機能呼出スイッチを提供する。【解決手段】  インターホン親機やナースコール親機等と通信が可能であり、押しボタンスイッチ２およびマイク４を設けた多機能呼出スイッチ１に、呼気スイッチ、まばたきスイッチ、エヤースイッチ、ピエゾスイッチまたは生体信号スイッチ等の特殊呼出装置の入力端子６を設けている。これにより、既存の各種特殊呼出装置がインターホン親機やナースコール親機等と通信可能な子機として容易に使用することができる。【選択図】  図１
0003170867.tif 000002
【実用新案登録請求の範囲】
【請求項１】
親機端末を呼出す呼出スイッチであって、この呼出スイッチは、
押しボタンの押下によって出力信号を出す押しボタン手段と、
設定値以上の音声に応動して出力信号を出す音声入力手段と、
呼気スイッチや瞬きスイッチ等の特殊呼出装置の出力信号を入力する入力端子と、
前記押しボタン手段、音声入力手段または特殊呼出装置の出力信号を送信する無線送信手段と、
これらの各手段を制御する制御手段、および駆動用電池またはＡＣアダプターより構成されていることを特徴とする多機能呼出スイッチ。
【請求項２】
前記呼出スイッチは、押しボタン手段、音声入力手段または特殊呼出装置の出力信号が送信されたときに、一定時間点灯または点滅する表示灯が設けられていることを特徴とする請求項１に記載の多機能呼出スイッチ。
【請求項３】
前記特殊呼出装置は、呼気スイッチ、まばたきスイッチ、エヤースイッチ、ピエゾスイッチまたは生体信号スイッチのいずれかであることを特徴とする請求項１または２に記載の多機能呼出スイッチ。
【請求項４】
前記無線送信器は、当該機器の識別ＩＤコードおよびチャンネル設定が可能であることを特徴とする請求項１〜３に記載の多機能呼出スイッチ。
【考案の詳細な説明】
【技術分野】
【０００１】
本考案は、病院、介護施設または在宅において、患者や被看護者（以下、被看護者という）が看護師、医師または家族等の看護者（以下、看護者という）を呼出す呼出スイッチであって、より詳しくは、押しボタンスイッチ、音声入力または特殊呼出装置から呼出が可能な多機能呼出スイッチに関するものである。
【背景技術】
【０００２】
従来、被看護者が看護者を呼出すための装置として、押しボタンスイッチや音声会話機能を有する子機端末を備えたナースコールシステムが知られており、病院や各種介護施設などで広く使用されている。また、音声認識により、患者が看護人を呼んだことを検知して、患者と看護人の通話を開始することができるナースコール装置（特許文献１参照）、呼気を利用して各種のスイッチ操作及び意志伝達を行う呼気スイッチ装置（特許文献２参照）、生体信号を利用した意思伝達装置（特許文献３参照）などが開示されている。
【先行技術文献】
【特許文献】
【０００３】
【特許文献１】特開２００２−１３５４３５号公報
【特許文献２】特開２００２−１８１７６３号公報
【特許文献３】特開平１０−２０７５９２号公報
【考案の開示】
【考案が解決しようとする課題】
【０００４】
特許文献１のナースコール装置は、手を使えない状況下にある患者に、小型マイクロホンとイヤホンを装着させて、患者が看護人を呼んでいることを看護人に認識させ、患者が手を使うことなしに看護人を呼出して通話を開始するものである。しかしながら、この子機は押しボタンスイッチと音声認識機能を組合せた特殊形状の呼出装置である。
【０００５】
特許文献２の呼気スイッチ装置は、所定時間毎に意志表示を示すメッセージが循環的に表示される表示部を見ながら、所望のメッセージが表示されたタイミングで呼気を炭酸ガスセンサに吹き付けることにより、所望のメッセージの内容に対応する外部制御信号を生成させることができる特殊呼出装置である。
【０００６】
特許文献３の生体信号を利用した意思伝達装置は、人の筋電、眼電または脳波等の生体信号を検出して、意思伝達内容をベッド周辺に設けた表示器に表示させることができる特殊呼出装置である。このように、特許文献１〜３に示す装置は、全て被看護者の身体的状況に対応した特殊呼出装置であり、単純にナースコール装置の子機として組み込んで使用することができなかった。本考案は、前記問題点を解決するためになされたもので、様々な呼出スイッチを簡単に接続することができる多機能呼出スイッチを提供することを目的としている。
【課題を解決するための手段】
【０００７】
請求項１に係る多機能呼出スイッチは、インターホン親機やナースコール親機等と通信が可能なもので、押しボタンの押下によって出力信号を出す押しボタン手段と、設定値以上の音声に応動して出力信号を出す音声入力手段と、呼気スイッチや瞬きスイッチ等の特殊呼出装置の出力信号を入力する入力端子と、前記押しボタン手段、音声入力手段または特殊呼出装置の出力信号を送信する無線送信手段と、これらの各手段を制御する制御手段より構成されている。また、使用する電源は、電池（乾電池または充電電池）またはＡＣアダプターを使用することが可能である。これによれば、多機能呼出スイッチの入力端子に特殊呼出装置の出力端子を挿入することにより、従来の特殊呼出装置がインターホン親機やナースコール親機等と通信可能な子機として容易に使用することができる。
【０００８】
請求項２に係る多機能呼出スイッチは、押しボタン手段、音声入力手段または特殊呼出装置の出力信号が送信されたときに、一定時間点灯または点滅する表示灯が設けられている。これによれば、多機能呼出スイッチが作動していることを視認することができるので、被看護者に安心感を与えることができる。
【０００９】
請求項３に係る多機能呼出スイッチに設けられている入力端子には、特殊呼出装置である呼気スイッチ、まばたきスイッチ、エヤースイッチ、ピエゾスイッチまたは生体信号スイッチの出力端子を挿入することができる。これによれば、前記の特殊呼出装置をインターホン親機やナースコール親機等と通信可能な子機として容易に使用することができる。
【００１０】
請求項４に係る多機能呼出スイッチに設けられた無線送信器は、当該機器の識別ＩＤコードおよびチャンネル設定が可能である。これによれば、同一病室に複数の多機能呼出スイッチを用いる場合であっても、出力信号を識別ＩＤコードで識別できるだけでなく、発信電波の混信を防止することができる。
【考案の効果】
【００１１】
本考案の多機能呼出スイッチは、その入力端子に特殊呼出装置の出力端子を挿入するだけで、従来の特殊呼出装置がインターホン親機やナースコール親機等と通信可能な子機として容易に使用することができる。また、出力信号が送信されたときに、一定時間点灯または点滅する表示灯が設けられているので、これを視認することで被看護者に安心感を与えることができる。
【００１２】
また、本考案の多機能呼出スイッチに設けられている入力端子は、様々な特殊呼出装置の出力端子を挿入することができるので、インターホン親機やナースコール親機等と通信可能な子機として容易に使用することができる。さらに、同一病室に複数の多機能呼出スイッチを用いる場合であっても、出力信号を識別ＩＤコードで識別できるだけでなく、発信電波の混信を防止することができる。
【図面の簡単な説明】
【００１３】
【図１】本考案の多機能呼出スイッチの一例を示す斜視図である
【図２】本考案の多機能呼出スイッチの一例を示すブロック図である
【図３】本考案の多機能呼出スイッチを用いたシステム構成図の一例である。
【図４】本考案の多機能呼出スイッチを用いたシステム構成図の他例である。
【考案を実施するための形態】
【００１４】
以下、本考案の実施形態について、図面に基づいて詳細に説明する。図１において、多機能呼出スイッチ１の本体上面には、表面が半透明の押しボタンスイッチ２（押しボタン手段）が設けられており、手や指先で押し下げるとスイッチがＯＮとなり、出力信号がインターホン親機３０やナースコール親機４３に送信される。また、押しボタンスイッチ２には表示灯３（例えば、ＬＥＤ）が組み込まれており、スイッチがＯＮの状態で表示灯３が継続または時限的に点灯あるいは点滅して、押しボタンスイッチ２表面の半透明部を照らし、スイッチがＯＮ状態であることを被看護者が視認できるようにしている。なお、視覚障害者等のために、スイッチがＯＮになったことを知らせる電子ブザー１７を設けてもよい。
【００１５】
前記本体内部には、押しボタンスイッチ２、マイク４（音声入力手段）または特殊呼出装置の出力信号を送信する無線送信器１３（無線送信手段）と、これらの各手段を制御する制御回路１２（制御手段）、および電池１５（乾電池または充電電池）またはＡＣアダプター入力端子１６が設けられている。
【００１６】
前記本体の側面には、マイク４とマイクの感度を調節する感度調節切替器５が設けられている。当該マイク４は、音や音声を検知して信号増幅した後、当該感度調節切替器５の設定レベルと比較して、設定レベルよりマイク４からの音声が大きい場合に出力信号を無線送信器１３から送信するものである。したがって、マイク４に向かって大声（例えば、７０デシベル以上）を出すと、スイッチがＯＮとなり、出力信号がインターホン親機３０やナースコール親機４３に送信される。前記感度調節切替器５は、例えば、高・中・低の３段階切替とし、高は９０デシベル、中は８０デシベル、低は７０デシベルに設定されている。また、押しボタンスイッチ２には表示灯３（例えば、ＬＥＤ）が組み込まれており、スイッチがＯＮの状態で表示灯３が継続または時限的に点灯あるいは点滅して、押しボタンスイッチ２表面の半透明部を照らし、スイッチがＯＮ状態であることを被看護者が視認できるようにしている。インターホン親機３０やナースコール親機４３との通信が完了すれば、スイッチはＯＦＦとなる。なお、視覚障害者等のために、スイッチがＯＮになったことを知らせる電子ブザー１７を設けてもよい。
【００１７】
また、前記本体の他の側面には、特殊呼出装置の出力端子を挿入する特殊呼出装置入力端子６が設けられている。この入力端子は３．５ｍｍ径のモノラルジャックであり複数個設けてもよい。特殊呼出装置は、公知の呼気スイッチ、まばたきスイッチ、エヤースイッチ、ピエゾスイッチまたは生体信号スイッチを使用することが可能であり、いずれかの特殊呼出装置の出力端子を多機能呼出スイッチ１の当該入力端子６に挿入した後、被看護者が当該特殊呼出装置を操作すると、その出力信号が前記入力端子６から多機能呼出スイッチ１に入り、スイッチがＯＮとなって、出力信号がインターホン親機３０やナースコール親機４３に送信される。また、スイッチがＯＮの状態で、押しボタンスイッチ２に組み込まれている表示灯３が継続または時限的に点灯あるいは点滅して、押しボタンスイッチ２表面の半透明部を照らし、スイッチがＯＮ状態であることを被看護者が視認できるようにしている。インターホン親機３０やナースコール親機４３との通信が完了すればスイッチはＯＦＦとなる。
【００１８】
前記本体の底面には４個の突起７が設けられており、本体底面と載置面間に隙間を確保している。この底面には電池を収納する凹部と、これを閉じる蓋が開閉自在に取り付けられている。また、本体側面の任意位置にＡＣアダプター入力端子１６が設けられている。
【００１９】
図２において、多機能押しボタンスイッチ１の作用を説明する。２は押しボタンスイッチ、６は特殊呼出装置の入力端子、４はマイク、１１は増幅回路、３は表示灯、１７は電子ブザー、５は感度調節切替器、１２は制御回路、１３は無線送信器、１４はアンテナ、１５は電池、１６はＡＣアダプター入力端子である。押しボタンスイッチ２を押し下げると、スイッチがＯＮ（回路が閉）となり、制御回路１２により出力信号が無線送信器１３に設けられたアンテナ１４からインターホン親機３０やナースコール親機４３に無線送信される。これと同時に、表示灯３が継続または時限的に点灯あるいは点滅して、電子ブザー１７が呼動する。通話完了後には自動的に表示灯３が消灯する。
【００２０】
前記マイク４に向かって設定レベル以上の大声を出したときは、その大声が増幅回路１１で増幅されて、制御回路１２により出力信号が無線送信器１３に設けられたアンテナ１４からインターホン親機３０やナースコール親機４３に無線送信される。これと同時に、表示灯が継続または時限的に点灯あるいは点滅して、電子ブザー１７が呼動する。通信完了後は自動的に表示灯３が消灯する。感度調節切替器５は、前記大声の設定レベルを調節するものであり、例えば、高・中・低の３段階切替が可能である。
【００２１】
特殊呼出装置の出力端子を多機能呼出スイッチ１の入力端子６に挿入後、当該特殊呼出装置を操作すると、制御回路１２により出力信号が無線送信器１３に設けられたアンテナ１４からインターホン親機３０やナースコール親機４３等に無線送信される。これと同時に、表示灯が継続または時限的に点灯あるいは点滅して、電子ブザー１７が呼動する。通信完了後は自動的に表示灯３が消灯する。
【００２２】
多機能呼出スイッチ１を駆動する電源は、電池１５（乾電池または充電電池）またはＡＣアダプターの２電源方式とし、ＡＣアダプターが接続されたときは、ＡＣアダプターからの電電供給が優先される。
【００２３】
図３は、インターホンシステムへの適用例を示したもので、多機能呼出スイッチ１、インターホン親機３０、携帯型受信器３１であり、多機能呼出スイッチ１と、インターホン親機３０および携帯型受信器３１間は、それぞれ無線通信される。インターホン親機３０には、多機能呼出スイッチ１を識別して表示する複数の表示灯が設けられており、被看護者を特定することができる。また、看護者は携帯型受信器３１を携帯することで、被看護者の呼出しに迅速に応答することができる。
【００２４】
図４は、ナースコール装置への適用例を示したもので、多機能呼出スイッチ１、ナースコール中継器４０、ナースコール押しボタンスイッチ４１、ナースコールシステム４２、ナースコール親機４３、インターホン親機３０、携帯型受信器３１である。多機能呼出スイッチ１と、ナースコール中継器４０およびインターホン親機３０間は、それぞれ無線通信される。ナースコール親機３０には、多機能呼出スイッチ１を識別して表示する複数の表示灯が設けられており、被看護者を特定することができる。また、看護者は携帯型受信器３１を携帯するで、被看護者の呼出しに迅速に応答することができる。
【符号の説明】
【００２５】
１  多機能呼出スイッチ、  ２  押しボタンスイッチ、  ３  表示灯、  ４  マイク
５  感度調節切替器、  ６  特殊呼出装置の入力端子、  ７  突起、  １１  増幅回路  １２  制御回路、  １３  無線送信器、  １４  アンテナ、  １５  電池
１６  ＡＣアダプター入力端子、  １７  電子ブザー、  ３０  インターホン親機
３１  携帯型受信器、  ４０  ナースコール中継器、
４１  ナースコール押しボタンスイッチ、  ４２  ナースコールシステム
４３  ナースコール親機
【図１】
0003170867.tif 000003
【図２】
0003170867.tif 000004
【図３】
0003170867.tif 000005
【図４】
0003170867.tif 000006